(57)【要約】【課題】波形屋根材の山部に載置される屋根材押え具であって滑雪性を向上させるカバー材を強固に被着できる屋根材押え具と、この屋根材押え具で波形屋根材を押えると共にカバー材を強固に被着した滑雪性の良好な屋根構造を提供する。【解決手段】波形屋根材の山部を跨ぐように凸曲した押え具本体１ａの頂部中央に止具挿通孔を形成し、押え具本体の片側裾部又は両側裾部１ｄ，１ｄに、カバー材の片側又は両側の折返し側縁を挟持する挟持部１ｆ，１ｆを設けた構成の屋根材押え具１とする。屋根構造は、波形屋根材の山部に載置した屋根材押え具１を止具で屋根材支持フレームに固定して波形屋根材を押えると共に、カバー材を屋根材押え具１に被せて、その片側又は両側の折返し側縁を屋根材押え具の挟持部１ｆ，１ｆに強固に挟持させた構成とする。屋根材押え具や止具頭部をカバー材で被覆し、雪が引っ掛からないようにして滑雪性を向上させる。【選択図】図１
2011094381.tif 000002
【特許請求の範囲】
【請求項１】
波形屋根材の山部に載置され、波形屋根材を貫通する止具で屋根材支持フレームに固定されて波形屋根材を押えると共に、山形の横断面形状を備えた長尺のカバー材が被着される屋根材押え具であって、
波形屋根材の山部を跨ぐように凸曲した押え具本体の頂部中央に止具挿通孔が形成され、押え具本体の片側裾部又は両側裾部に、カバー材の片側縁又は両側縁を裏側に折り返して形成した折返し側縁を挟持する挟持部が設けられていることを特徴とする屋根材押え具。
【請求項２】
前記挟持部が、押え具本体の片側裾部又は両側裾部と、この片側裾部又は両側裾部を部分的に切り起こして形成した切起し片とで構成されていることを特徴とする請求項１に記載の屋根材押え具。
【請求項３】
前記切起し片の突出寸法が、前記カバー材の折返し側縁の幅寸法と略同一に設定されていることを特徴とする請求項２に記載の屋根材押え具。
【請求項４】
請求項１ないし請求項３のいずれかに記載された屋根材押え具を用いて、その押え具本体を波形屋根材の山部に載置し、押え具本体の止具挿通孔から波形屋根材を貫通する止具で押え具本体を屋根材支持フレームに固定して波形屋根材を押えると共に、前記カバー材を屋根材押え具に被せて、その片側又は両側に形成された折返し側縁を、押え具本体の片側裾部又は両側裾部に設けられた挟持部に挟持させたことを特徴とする屋根構造。
【請求項５】
屋根材押え具が請求項２に記載された屋根材押え具であって、挟持部を構成する押え具本体の片側裾部又は両側裾部と前記切起し片とによって、カバー材の片側又は両側の折返し側縁を上下から挟み込んだことを特徴とする請求項４に記載の屋根構造。
【請求項６】
屋根材押え具が請求項３に記載された屋根材押え具であって、その押え具本体の片側裾部又は両側裾部と前記切起し片との間に、カバー材の片側又は両側の折返し側縁をその先端が前記切起し片の切起し端近傍に達するように挟み込むと共に、カバー材とその片側又は両側の折返し側縁との間に、押え具本体の前記切起し片をその先端が折返し側縁の折返し端近傍に達するように挿入することによって前記切起し片を押えながら斜め下向きに傾斜させ、この傾斜させた切起し片と押え具本体の片側裾部又は両側裾部とによってカバー材の片側又は両側の折返し側縁を挟圧保持させたことを特徴とする請求項４に記載の屋根構造。
【請求項７】
前記カバー材の前記切起し片を被覆する部分を下方に押圧変形させ、この変形部分とカバー材の折返し側縁とによって前記切起し片を挟着したことを特徴とする請求項５又は請求項６に記載の屋根構造。
【発明の詳細な説明】
【技術分野】
【０００１】
本発明は屋根材押え具とこれを用いた屋根構造に関し、更に詳しくは、波形屋根材の山部に載置される屋根材押え具であって滑雪性を向上させるカバー材を強固に被着することができる屋根材押え具と、これを用いて波形屋根材を押え且つカバー材を強固に被着した滑雪性の良好な屋根構造に関する。
【背景技術】
【０００２】
従来より、合成樹脂製波板などの波形屋根材を取付けた屋根構造として、例えば、波形屋根材を屋根構造材（屋根材支持フレーム）に載置し、波形屋根材の山部に沿うように凸曲した座金（屋根材押え具）を該山部に載置すると共に、座金頂部の挿通孔から特定のドリルねじを波形屋根材を貫通させて屋根構造材にねじ込み固定したものが知られている（特許文献１）。
【０００３】
また、屋根材や内外装材として使用される両面金属断熱パネル（断熱材の表面に金属製波板を設け裏面に金属板を設けたパネル）の取付構造として、上記断熱パネルの一側端に形成された嵌合凹部の上方から止具を支持フレームに打ち込んで嵌合凹部を固定し、他側端に形成された嵌合被覆部を、隣接する断熱パネルの嵌合凹部に被せて接続したものも知られている（特許文献２）。
【先行技術文献】
【特許文献】
【０００４】
【特許文献１】実開平１−１５０２１２号公報
【特許文献２】特開２００４−１５０２５９号公報
【発明の概要】
【発明が解決しようとする課題】
【０００５】
しかしながら、上記特許文献１の屋根構造では、座金が波形屋根材の山部に載置され、且つ、この座金からドリルねじの頭部が突き出しているため、屋根に降り積もった雪が座金やドリルねじの頭部に引っ掛かって滑り落ちにくいという問題があった。
【０００６】
これに対し、上記特許文献２の両面金属断熱パネルの取付構造は、止具が該パネルの一側端の嵌合凹部に打ち込まれ、この嵌合凹部に隣りのパネルの嵌合被覆部が被着されて、止具の頭部が露出しない状態でパネル同士が接続、固定されるため、上記の問題は生じない。けれども、強風時のパネルの飛散を防止するためにパネルの中間部も止具で固定して取付強度を高めようとすると、止具の頭部がパネルの上面から突き出すので、上記と同様に雪が止具の頭部に引っ掛かって滑雪性が低下することになる。
【０００７】
本発明は上記事情の下になされたもので、その解決しようとする課題は、波形屋根材の山部に載置される屋根材押え具であって滑雪性を向上させるカバー材を強固に被着することができる屋根材押え具と、この屋根材押え具によって波形屋根材を押えると共にカバー材を強固に被着した滑雪性の良好な屋根構造を提供することにある。
【課題を解決するための手段】
【０００８】
上記課題を解決するため、本発明の請求項１に係る屋根材押え具は、波形屋根材の山部に載置され、波形屋根材を貫通する止具で屋根材支持フレームに固定されて波形屋根材を押えると共に、山形の横断面形状を備えた長尺のカバー材が被着される屋根材押え具であって、波形屋根材の山部を跨ぐように凸曲した押え具本体の頂部中央に止具挿通孔が形成され、押え具本体の片側裾部又は両側裾部に、カバー材の片側縁又は両側縁を裏側に折り返して形成した折返し側縁を挟持する挟持部が設けられていることを特徴とするものである。
【０００９】
そして、本発明の請求項２に係る屋根材押え具は、前記請求項１の屋根材押え具において、前記挟持部が、押え具本体の片側裾部又は両側裾部と、この片側裾部又は両側裾部を部分的に切り起こして形成した切起し片とで構成されていることを特徴とするものであり、
本発明の請求項３に係る屋根材押え具は、前記請求項２の屋根材押え具において、前記切起し片の突出寸法が、前記カバー材の折返し側縁の幅寸法と略同一に設定されていることを特徴とするものである。
【００１０】
また、本発明の請求項４に係る屋根構造は、前記請求項１ないし請求項３のいずれかに記載された屋根材押え具を用いて、その押え具本体を波形屋根材の山部に載置し、押え具本体の止具挿通孔から波形屋根材を貫通する止具で押え具本体を屋根材支持フレームに固定して波形屋根材を押えると共に、前記カバー材を屋根材押え具に被せて、その片側又は両側に形成された折返し側縁を、押え具本体の片側裾部又は両側裾部に設けられた挟持部に挟持させたことを特徴とするものである。
【００１１】
そして、本発明の請求項５に係る屋根構造は、前記請求項４の屋根構造において、屋根材押え具が前記請求項２に記載された屋根材押え具であって、その挟持部を構成する押え具本体の片側裾部又は両側裾部と前記切起し片とによって、前記カバー材の片側又は両側の折返し側縁を上下から挟み込んだことを特徴とするものであり、
本発明の請求項６に係る屋根構造は、前記請求項４の屋根構造において、屋根材押え具が前記請求項３に記載された屋根材押え具であって、その押え具本体の片側裾部又は両側裾部と前記切起し片との間に、前記カバー材の片側又は両側の折返し側縁をその先端が前記切起し片の切起し端近傍に達するように挟み込むと共に、前記カバー材とその片側又は両側の折返し側縁との間に、押え具本体の前記切起し片をその先端が折返し側縁の折返し端近傍に達するように挿入することによって前記切起し片を押えながら斜め下向きに傾斜させ、この傾斜させた切起し片と押え具本体の片側裾部又は両側裾部とによって前記カバー材の片側又は両側の折返し側縁を挟圧保持させたことを特徴とするものであり、
本発明の請求項７に係る屋根構造は、前記請求項５又は前記請求項６の屋根構造において、前記カバー材の前記切起し片を被覆する部分を下方に押圧変形させ、この変形部分と前記カバー材の折返し側縁とによって前記切起し片を挟着したことを特徴とするものである。
【発明の効果】
【００１２】
本発明の請求項１に係る屋根材押え具のように、波形屋根材の山部を跨ぐように凸曲した押え具本体の頂部中央に止具挿通孔が形成され、押え具本体の片側裾部又は両側裾部に、カバー材の片側縁又は両側縁を裏側に折り返して形成した折返し側縁を挟持する挟持部が設けられたものは、請求項４に係る屋根構造のように、押え具本体を波形屋根材の山部に載置し、押え具本体の止具挿通孔から波形屋根材を貫通する止具で押え具本体を屋根材支持フレームに固定することによって、波形屋根材を押え具本体でしっかり押えて取付けることができ、更に、カバー材を屋根材押え具に被せて、カバー材の片側又は両側の折返し側縁を押え具本体の片側裾部又は両側裾部の挟持部に挟持させることにより、カバー材を脱落しないように被着することができる。このように請求項１の屋根材押え具で波形屋根材を押えて取付け、且つ、カバー材を屋根材押え具に被着した請求項４の屋根構造は、波形屋根材の山部に載置された屋根材押え具や、その頂部中央の止具挿通孔から突き出す止具の頭部が、山形の横断面形状を有する長尺の上記カバー材で覆われているため、屋根に降り積もった雪が屋根材押え具や止具の頭部に引っ掛かることなくスムーズに滑り落ちるようになり、滑雪性が向上する。
【００１３】
また、本発明の請求項２に係る屋根材押え具のように、前記挟持部が、押え具本体の片側裾部又は両側裾部と、この片側裾部又は両側裾部を部分的に切り起こして形成した切起し片とで構成されたものであると、請求項５に係る屋根構造のように、挟持部を構成する押え具本体の片側裾部又は両側裾部と切起し片とによって、カバー材の片側又は両側の折返し側縁を上下から挟み込み、カバー材が長さ方向に摺動しないようにカバー材をしっかりと被着することができる。
【００１４】
そして、本発明の請求項３に係る屋根材押え具のように、前記切起し片の突出寸法が前記カバー材の折返し側縁の幅寸法と略同一に設定されていると、請求項６に係る屋根構造のように、押え具本体の片側裾部又は両側裾部と切起し片との間に、カバー材の片側又は両側の折返し側縁をその先端が前記切起し片の切起し端近傍に達するように挟み込むと共に、カバー材とその片側又は両側の折返し側縁との間に、押え具本体の切起し片をその先端が折返し側縁の折返し端近傍に達するように挿入することによって前記切起し片を押えながら斜め下向きに傾斜させ、この傾斜させた切起し片と押え具本体の片側裾部又は両側裾部とでカバー材の片側又は両側の折返し側縁を挟圧保持させることにより、カバー材を強固に被着することができる。
【００１５】
更に、本発明の請求項７に係る屋根構造のように、カバー材の前記切起し片を被覆する部分を下方に押圧変形させ、この変形部分とカバー材の折返し側縁とによって押え具本体の切起し片を強く挟着したものは、カバー材を一層強固に被着することができる。
【図面の簡単な説明】
【００１６】
【図１】本発明の一実施形態に係る屋根材押え具の正面図である。
【図２】同屋根材押え具の平面図である。
【図３】同屋根材押え具の側面図である
【図４】図２のＡ−Ａ線断面図である。
【図５】図２のＢ−Ｂ線断面図である。
【図６】同屋根材押え具に被着するカバー材の部分斜視図である。
【図７】同屋根材押え具を用いた本発明の屋根構造の部分断面図である。
【図８】カバー材の折返し側縁を挟持した同屋根材押え具の挟持部の拡大断面図である。
【発明を実施するための形態】
【００１７】
図１〜図５に示す屋根材押え具１は、図７に示すように波形屋根材２の山部２ａに載置され、波形屋根材２を貫通する止具３で屋根材支持フレーム４に固定されて波形屋根材２を押える金属製の押え具であり、その上に滑雪性を向上させるカバー材５が被着されるものである。
【００１８】
即ち、この屋根材押え具１は、波形屋根材２の山部２ａを跨ぐように押え具本体１ａが凸曲したものであって、押え具本体１ａの頂部中央には、止具３の頭部３ａを受ける円形上面を備えた凸座部１ｂが形成されており、この凸座部１ｂの中心に止具挿通孔１ｃが形成されている。この押え具本体１ａの頂部（上記凸座部１ｂを除いた頂部）は、波形屋根材２の山部２ａの頂部との間に多少の隙間が生じるように、山部２ａの曲率半径よりも小さい曲率半径とされており、押え具本体１ａの左右両側の裾部１ｄ，１ｄは、波形屋根材２の谷部２ｂに沿うように凹曲している。そして、押え具本体１ａの前後の端縁には補強用の凸リブ１ｅ，１ｅが絞り加工によって形成されており、これらの凸リブ１ｅ，１ｅによって押え具本体１の変形が防止されている。
【００１９】
上記押え具本体１ａの左右両側の裾部１ｄ，１ｄには、この屋根材押え具１の最大の特徴である挟持部１ｆ，１ｆが形成されている。この挟持部１ｆ，１ｆは、屋根材押え具１に被着されるカバー材５の両側の折返し側縁５ａ，５ａを挟持してカバー材５を固定する役目を果たすものであって、押え具本体１ａの両側裾部１ｄ，１ｄと、該裾部１ｄ，１ｄの前後方向（図２のＦ−Ｒ方向）中間部分を切り起こして形成した略水平な切起し片１ｇ，１ｇとで構成されており、この切起し片１ｇ，１ｇの突出寸法Ｐ（図４参照）はカバー材５の折返し側縁５ａの幅寸法Ｗ（図６参照）と略同一に設定されている。ここで、「略同一」とは、突出寸法Ｐと幅寸法Ｗが同一であるか、又は、いずれか一方の寸法Ｐ又はＷが他方の寸法Ｗ又はＰよりも少し小さい（いずれか一方の寸法が他方の寸法の６０％以上、１００％未満である）ことを意味する。
【００２０】
図７に示す屋根構造は、上記構成の屋根材押え具１を用いて波形屋根材２を押圧固定すると共に、カバー材５を屋根材押え具１に被着して滑雪性を向上させたものである。この屋根構造に使用される波形屋根材２は、合成樹脂製又は軟質メッキ鋼板製の波板２１の裏側に樹脂発泡体の断熱材２２を設けたものであり、また、カバー材５は、図６に示すような山形の横断面形状を備えた合成樹脂製又は軟質メッキ鋼板からなる長尺のカバー材であって、その両側縁が裏側に折り返されて折返し側縁５ａ，５ａが形成されたものである。この折返し側縁５ａ，５ａは屋根材押え具１の両側裾部１ｄ，１ｄに沿うように凹曲しており、その幅寸法Ｗは既述したように屋根材押え具１の切起し片１ｇの突出寸法Ｐと略同一とされている。
【００２１】
この屋根構造は、屋根のもや材などの屋根材支持フレーム４の上に波形屋根材２を載置し、この波形屋根材２の所定の山部２ａに前記屋根材押え具１の押え具本体１ａを載置すると共に、押え具本体１ａの頂部中央の止具挿通孔１ｃから釘などの止具３を波形屋根材２を貫通させて屋根材支持フレーム４に打ち込み、押え具本体１ａを波形屋根材２越しに屋根材支持フレーム４に固定している。このように押え具本体１ａを固定すると、既述したように、押え具本体１ａの頂部と波形屋根材２の山部２ａの頂部との間に隙間が生じ、押え具本体１ａの押圧力が両側裾部１ｄ，１ｄに集中して波形屋根材２の山部２ａの両側の谷部２ｂ，２ｂを強く押えるため、波形屋根材２を剥離しないように強固に取付けることができる。
【００２２】
そして、屋根材押え具１の上から前記カバー材５を被せると共に、カバー材５の両側の折返し側縁５ａ，５ａを、挟持部１ｆ，１ｆを構成する押え具本体１ａの両側裾部１ｄ，１ｄと前記切起し片１ｇ，１ｇとの間に挿入して上下から挟むことにより、カバー材５を離脱しないように被着している。このように押え具本体１ａの両側裾部１ｄ，１ｄと切起し片１ｇ，１ｇとでカバー材５の両側の折返し側縁５ａ，５ａを挟むと、既述したように、切起し片１ｇの突出寸法Ｐとカバー材５の折返し側縁５ａの幅寸法Ｗが略同一であるため、図８に拡大して示すように、カバー材５の折返し側縁５ａの先端が切起し片１ｇの切起し端近傍に達した状態で挟まれると共に、切起し片１ｇの先端が折返し側縁５ａの折返し端近傍に達するまでカバー材５と折返し側縁５ａとの間に挿入されて下方に押えられ、切起し片１ｇが斜め下向きに傾斜する。従って、この傾斜した切起し片１ｇと押え具本体１ａの裾部１ｄとでカバー材５の折返し側縁５ａが強く挟圧保持されるので、カバー材５を長さ方向に摺動しないように強固に被着、固定することができる。
【００２３】
また、場合によっては、カバー材５の前記切起し片１ｇを被覆する部分をハンマー等で打ちつけて下方に押圧変形させ、この変形部分とカバー材５の折返し側縁５ａとによって押え具本体１ａの切起し片１ｇを強く挟着してもよい。このようにすると、カバー材５を一層強固に被着できる利点があるので好ましい。
【００２４】
この屋根構造は施工性が良く、上記のように波形屋根材２を屋根材押え具１で押えて強固に取付けることができ、且つ、カバー材５の折返し側縁５ａ，５ａを屋根材押え具１の挟持部１ｆ，１ｆで挟持してカバー材５を強固に被着することができる。そして、波形屋根材２の山部２ａに載置された屋根材押え具１や、その頂部中央の止具挿通孔から突き出す止具３の頭部３ａがカバー材５で覆われるため、屋根に降り積もった雪が屋根材押え具１や止具３の頭部に引っ掛かることなくスムーズに滑り落ちるようになり、滑雪性が向上する。従って、この屋根構造は、積雪地域の倉庫、自転車置場、カーポートなどの簡易な屋根構造として好適なものである。
【００２５】
以上の実施形態では、押え具本体１ａの両側裾部１ｄ，１ｄに挟持部１ｆ，１ｆを設けた屋根材押え具１を用いて、カバー材５の両側の折返し側縁５ａ，５ａを挟持させているが、挟持部１ｆを片側の裾部１ｄに設けた屋根材押え具を用いて、カバー材５の片側の折返し側縁５ａを挟持させるようにしてもよい。
【００２６】
また、波形屋根材として、前記波形屋根材２の断熱材２２の下面に更に平板を積層した三層構造の波形屋根材を使用したり、単層の波板を使用してもよく、また、止具３としてビスやフックボルトなどを使用しても勿論よい。
【符号の説明】
【００２７】
１    屋根材押え具
１ａ  押え具本体
１ｃ  止具挿通孔
１ｄ  裾部
１ｆ  挟持部
１ｇ  切起し片
２    波形屋根材
２ａ  山部
２ｂ  谷部
３    止具
３ａ  止具頭部
４    屋根材支持フレーム
５    カバー材
５ａ  折返し側縁
【図１】
2011094381.tif 000003
【図２】
2011094381.tif 000004
【図３】
2011094381.tif 000005
【図４】
2011094381.tif 000006
【図５】
2011094381.tif 000007
【図６】
2011094381.tif 000008
【図７】
2011094381.tif 000009
【図８】
2011094381.tif 000010